(57)【要約】【課題】家具等における扉の位置や用途別の扉の識別性を向上させる。【解決手段】キャビネットの収納本体２の開口部に設けた上下扉４、５を連動手段６を介して連動開閉させる。下扉５のカバー板１１から前向きに突出する横長の前向きバー１１ａの先端に一体的に形成された握り部１２には、その前面に前向き開放状の横長の取り付け溝１６を設け、この取り付け溝１６に横長の識別体１７を嵌合固定する。握り部１２と識別体１７とはその材質及び色彩のいずれか一方もしくは双方が異なるものを採用して判別（識別）し易くする。【選択図】図４
2004346687.tif 000002
【特許請求の範囲】
【請求項１】
収納家具、室、廊下等の開口部に開閉可能に設けた扉に設ける把手装置であって、扉の前面又は裏面に一体的に形成されもしくはボルト等を介して固着した把手体の少なくとも握り部には、その外側表面に開口するように取付け溝を形成し、前記把手体または握り部の材質及び色彩のいずれか一方もしくは双方が異なる識別体を、前記取付け溝に嵌合もしくは固着したことを特徴とする把手装置。
【請求項２】
前記把手体の少なくとも握り部の長手方向に沿ってその外側表面に前記取付け溝を形成し、該取付け溝に沿って前記識別体を装着したことを特徴とする請求項１に記載の把手装置。
【請求項３】
前記識別体の断面形状のうち前記把手体における握り部の外側表面に突出する部分を、当該握り部の外側表面の断面と異なるように形成したことを特徴とする請求項１または２に記載の把手装置。
【発明の詳細な説明】
【０００１】
【発明の属する技術分野】
本発明は、キャビネット等の家具における扉や、室または廊下を仕切る扉の表面または裏面に設けた把手装置の構成に関するものである。
【０００２】
【従来の技術】
従来から、前記扉の把手装置として、特許文献１に開示されているように、側面視コ字型の合成樹脂製の枠体の表面側に複数箇所の取付けボスを突設し、該各取付けボスに取付け孔を穿設する一方、表面側には、前記枠体の表面側を覆うように、側面視コ字型の合成樹脂製の中空状で裏面側が開放されたカバー体を形成し、該カバー体の中空内部には、前記取付け孔に嵌合する位置決めピンと、前記枠体の両端の扉への取付け片に貫通する取付け螺子が螺合する雌ねじ部とが一体的に形成されたものがあった。
【０００３】
【特許文献１】
実公昭５９−３８９１１号公報
【０００４】
【発明が解決しようとする課題】
ところで、前記先行技術の把手装置では、外からの識別を容易にするため、例えば、キャビネットにおける扉の位置や、キャビネットの内容物品、用途等が異なる毎に、識別部品としての前記カバー体の材質や色彩を変えて、枠体に取付けしたり交換することは可能である。
【０００５】
しかし、前記先行技術の構成では、カバー体が枠体の表面側の全体を覆う構成であるから、当該カバー体が大型になり、カバー体だけの交換に際して、当該カバー体の部品の費用が高くついたり、カバー体だけの交換のために扉側から枠体も同時に取り外す作業が必要があり、手間が掛かるという問題があった。
【０００６】
また、例えば色弱者が認識し易いようにするために、前記カバー体の表面形状を種々に変更したものを準備すると、このカバー体の在庫量が多くなり、ひいてはコスト高につながるという問題があった。
【０００７】
そこで、本発明は前記従来の問題を解消し、識別部分（部品）の交換が可能であり、且つ簡単に実行でき、しかも識別も容易にでき、多様なものを簡単に準備できる把手装置を提供することを目的とする。
【０００８】
【課題を解決するための手段】
前記目的を達成するため、請求項１の発明は、収納家具、室、廊下等の開口部に開閉可能に設けた扉に設ける把手装置であって、扉の前面又は裏面に一体的に形成されもしくはボルト等を介して固着した把手体の少なくとも握り部には、その外側表面に開口するように取付け溝を形成し、前記把手体または握り部の材質及び色彩のいずれか一方もしくは双方が異なる識別体を、前記取付け溝に嵌合もしくは固着したものである。
【０００９】
請求項２の発明は、請求項１に記載した把手装置において、前記把手体の少なくとも握り部の長手方向に沿ってその外側表面に前記取付け溝を形成し、該取付け溝に沿って前記識別体を装着したものである。
【００１０】
請求項３の発明は、請求項１または２に記載した把手装置において、前記識別体の断面形状のうち前記把手体における握り部の外側表面に突出する部分を、当該握り部の外側表面の断面と異なるように形成したものである。
【００１１】
【発明の実施の形態】
次に、本発明を具体化した実施形態を図面に基づいて説明する。図１〜図７は本発明を適用したキャビネットの第１実施形態を示している。図１はキャビネットを装着した机の概略斜視図、図２（ａ）はキャビネットの扉閉止状態の斜視図、図２（ｂ）は扉開き状態の斜視図、図３は上下両扉の開き状態を示す一部切欠き側断面図、図４は上下両扉の閉止状態を示すキャビネットの側断面図、図５は上扉の一部分離斜視図、図６は下扉の一部分離斜視図、図７（ａ）は下扉及び第２リンク杆の側面図、図７（ｂ）は図７（ａ）のＶＩＩｂ−ＶＩＩｂ線矢視図、図８（ａ）〜（ｆ）は識別体の他の態様を示す拡大側断面図である。
【００１２】
図１に示すように、第１実施形態のキャビネット１は、机天板７０の上面に立設する一対の支柱７１、７１に固定した棚板７２上に着脱可能に載置され、該棚板７２の下面側からボルト（図示せず）を介してキャビネット１の底板７に固定するものである。
【００１３】
前記キャビネット１は、前向きに開口した略箱型の収納本体２と、この収納本体２の開口部３を塞ぐ上下一対の扉４，５とを備えている。収納本体２は、平面視略矩形状の底板７と、この底板７の左右両側端に立設した左右両側板８，８と、これら両側板８，８及び底板７を後ろ斜め上方から覆う側面視略Ｌ字状の上板９とからなり、各板７，８，８，９は金属板製または合成樹脂製等のものであり、これら各板７，８，８，９同士は溶接等で固定されている。
【００１４】
前記上下両扉４，５は、収納本体２における左右両側板８，８の内面に取付けた左右一対の連動手段６，６を介して上下に開閉するようになっている。
【００１５】
図２及び図３に示すように、前記棚板７０の前後方向（奥行き）寸法Ｄ１は底板７の奥行き寸法Ｄ２より短く形成されている。そして、底板７の前縁よりも棚板７０の前縁が後方に偏倚して取付けされ、後述するように、下扉５を下向きに開き回動したとき、当該下扉５の下端が棚板７０の前縁に衝突せず、且つ下扉５を開閉操作する作業者の手が棚板７０と干渉しないように構成されている。
【００１６】
収納本体２内の左右の側部には、側板８に対して適宜隙間を隔てて対向するように、内仕切り板１０が配置され、各内仕切り板１０とこれに対応する側板８との間に、連動手段６が配置されている（図１（ｂ）、図２及び図５参照）。これら各内仕切り板１０は、側板８の内面に取付けた連動手段６に収納本体２内に収納した物品が引っ掛かる等して上下両扉４，５が開閉不能となるのを防ぐためのものである。
【００１７】
次に、第１実施形態における上下の扉４，５の構成について説明する。収納本体２の開口部３を塞ぐ扉４，５のうち上扉４は、前向き凸に湾曲形成したアルミニウム等の金属製または合成樹脂製等の表面板２１の四周縁部（上下左右の縁部）に、金属製または合成樹脂製等の縁部材２２，２３，２４，２４を被嵌固定してなるものである。
【００１８】
図３、図４及び図５に示すように、上縁部材２２は左右長手でかつ断面下向き略Ｅ字状に形成されている。この上縁部材２２のうち一方の溝条２５には、表面板２１の上縁部が嵌るようになっている。上縁部材２２における略中央の突出片には、断面略Ｕ字状のねじ固定部２６が一体成形されている。
【００１９】
下縁部材２３は左右長手でかつ断面略コ字状に形成されており、上下両扉４，５を閉止した状態では下扉５の上縁部に重なるように構成されている。この下縁部材２３におけるコ字型の溝条２７には、表面板２１の下縁部が嵌るようになっている。また、下縁部材２３における一方の突出片にも、断面略Ｕ字状のねじ固定部２８が一体成形されている。
【００２０】
左右の側縁部材２４は横向き開口樋状であって、表面板２１の左右に対して左右対称状に形成されている。これら各側縁部材２４は、上下両扉４，５を閉止した状態では各側板８の前縁部に当接するように構成されている。各側縁部材２４における横向きの開口２９には表面板２１の側縁部が嵌るようになっている。
【００２１】
各側縁部材２４のうち裏面側の両端部には、左右方向に貫通した穴３１を有する連結片３０，３０が外向きに突出するように一体成形されている。この実施形態では、上下左右の各縁部材２２，２３，２４，２４を表面板２１の四周縁部に被嵌した状態で、上縁部材２２におけるねじ固定部２６の各端部に、左右の側縁部材２４における一方の連結片３０の穴３１を介して固定ねじ３２を螺着固定するとともに、下縁部材２３におけるねじ固定部２８の各端部にも、左右の側縁部材２４における他方の連結片３０の穴３１を介して固定ねじ３２を螺着固定することにより、上下左右の縁部材２２，２３，２４，２４が連結されるようになっている。
【００２２】
各側縁部材２４のうち裏面側の長手方向中途部には、正断面視略コ字状のフランジ３３が外向きに突出するように一体成形されている（図３及び図５参照）。このフランジ３３のコ字状溝には、連動手段６における第１リンク杆５１の先端側である支持アーム部５１ａが嵌め込まれて、ねじ３４止めされている（図５参照）。
【００２３】
他方、下扉５は、アルミニウム等の金属または合成樹脂の押出し成形やロールダイス成形等により、全長にわたって同一の断面形状に形成したカバー板１１を備える。カバー板１１の前面（表面）のうち上寄り部位には、主把手装置における前向きに突出した左右長手の前向きバー１１ａとその先端の握り部１２とが一体成形され、カバー板１１の前面（表面）のうち下寄り部位には、前記握り部１２より下位置に、副把手装置として、上寄り部位が裏面側に凹み形成され、下端縁が前方向に突出させた手掛け部１５がカバー板１１の全長にわたって設けられている（図３、図４及び図６参照）。
【００２４】
カバー板１１の裏面側には、左右長手で断面略Ｕ字状のねじ取付け部１３，１３がカバー板１１の短手方向に並んで一体形成されている。この実施形態では、カバー板１１における左右の端部に、連動手段６における第２リンク杆５２の支持アーム部５２ａ（詳細は後述する）を重ねた状態で、各ねじ取付け部４３の左右の端部に、支持アーム部５２ａの貫通穴５４を介して皿頭ねじ４７を左右方向外側からねじ込むことにより、カバー板１１が後述する左右両第２リンク杆５２，５２に連結されている（図６参照）。
【００２５】
次に、左右一対の連動手段６，６の構成について説明する。本実施形態における両連動手段６，６は、上下両扉４，５の左右に対して左右対称状に設けられており、いずれも基本的に同じ構成である。そこで、収納本体２における右側板８の内面に取付けた連動手段６を例として、以下に説明する。
【００２６】
連動手段６は、上下両扉４，５を連動させて開閉動するように関連付けるためのものであり、上扉４を上下回動可能に支持する第１リンク杆５１と、下扉５を上下回動可能に支持する第２リンク杆５２と、これら両リンク杆５１，５２をつなぐ連結アーム５３とにより構成されている（図３及び図４参照）。
【００２７】
第１リンク杆５１の基端部が、右側板８の内面のうち開口部３側の上寄り部位に設けた第１ボス部に、先細の段付き状軸部を有する第１枢支ピン（ねじ）５６を介して回動可能に枢支されている。
【００２８】
第２リンク杆５２は、クランク軸のように折れ曲がった形状のクランクアーム部めと、その先端部から交差するように延びる支持アーム部５２ａとを有し、前記クランクアーム部の略中央部の下向き開放状の取付け部５２ｂが、右側板８のうち開口部３側の下寄り部位に設けた第２ボス部に、先細の段付き状軸部を有する第２枢支ピン５８を介して回動可能に枢支されている（図３、図４、図６及び図７参照）。
【００２９】
なお、第１リンク杆５１は、回動アーム部５４の基端部と右側板８の内面のうち奥寄り部位に溶接等で固定したブラケット５９（図４参照）との間に装架した引張りばね５７で、上向き回動する方向に常時付勢されている。この引張りばね５７は、開放位置すなわち収納本体２における天蓋板９の上方に位置した上扉４を、この位置で安定的に保持する役割を果たしている。前記引張りばね５７に代えて、捩じりばねや圧縮ばねを用いて上扉４を常時上向き（開き方向）に付勢しても良い。
【００３０】
そして、前記下扉５における主把手装置としての横長の握り部１２は使用者の指で摘み易いように、把手体としての前向きバー１１ａよりも先端部の肉厚が大きくなるように、例えば、図６の実施形態では断面円形に形成されている。この握り部１２の先端（前端）には、その全長にわたって前向き開放状の取付け溝１６が形成されている。そして、収納本体２を異にするごとに収容する内容物品が異なる場合やその使用者が異なる場合等において使用者が認識し易いようにするための識別体１７を前記取付け溝１６に外れないように嵌合させて取付ける（図６及び図７参照）。第１実施形態では図６及び図７に示すように、握り部１２の前面の全長にわたって識別体１７が嵌め込まれている。その場合、識別体１７の材質をカバー板１１もしくは把手体としての前向きバー１１ａの材質、特に触感と異なるものを使用したり、識別体１７の色彩を、カバー板１１（または前向きバー１１ａ）の少なくとも表面の色彩と異なるように設定する。例えば、カバー板１１の材質がアルミニウムや合成樹脂材のように表面粗さが少ない（滑らかな）。また、硬い材料である場合、識別体１７の材質を軟質ゴム等の軟らかい材料で表面粗さを荒くする。
【００３１】
使用者がキャビネット１を使用するに際して、閉止状の上下扉４、５（図４参照）を開くには、前記主把手装置の握り部１２を指で摘むか、副把手装置としての手掛け部１５に指を掛けて下扉５を下向き回動させる。これにより、第２リンク杆５２の後部側が上向き回動し、連結アーム５３を介して第１リンク杆５１の前部が第１枢支ピン５６周りに上向き回動する。従って、上扉４は、開口部３の上部を塞ぐ閉止位置（図４参照）から、収納本体２における天蓋板９の上方の開放位置（図３参照）へと大きく開くことができる。そして、前記側板８の内面に突設したストッパー片６０の縦片に前記第２リンク杆５２の基部等が当接することにより、上下扉４、５の最大開き角度が規制される（図３参照）。
【００３２】
下扉５のカバー板１１は横断面が円弧状に形成されているので、開き動作の場合、当該下扉５の下端が底板７の下面であって、棚板７２の前縁近傍に接近する。この場合、下扉５における手掛け部１５に指を掛けておいても、指や手が棚板７２等に干渉することがない。握り部１２を使った場合も同様であり、使用者が使い易い手掛け部１５または握り部１２を選択すれば良い。
【００３３】
上下扉４、５を閉じる時には、前記と逆に握り部１２を指で掴んで上向きに回動させすることで、前記連動手段６を介して上下扉４、５が連動して閉止方向に回動する。第１リンク杆５１の中途部が前記ストッパー片６０の上面に当接して、閉止姿勢が規制される。
【００３４】
前記握り部１２の前面に、上記したように識別体１７が固着されているので、正常な色彩識別力を有する使用者は、識別体１７の色を判断することによりキャビネット１の区別が付き易い。
【００３５】
また、握り部１２と識別体１７との材質を異ならせ、特に手触り感触（触覚）が異なるように設定したおけば、色弱者の場合であっても、容易に且つ確実に区別できるようになる。
【００３６】
図８（ａ）〜図８（ｆ）に示すのは、識別体１７の断面形状、特に握り部１２の前面に対する突出部分の形状の変形例を示す。図８（ａ）、図８（ｂ）に示すのは断面横向き略Ｔ字状の識別体１７であり、横向きの基部１７ａを握り部１２における前記取付け溝１６に嵌合する一方、表面が円弧状の覆い片１７ｂを握り部１２の前面に当接させるものである。なお、このとき、前記握り部１２の円周面の略全体を覆うように、円弧状の覆い片１７ｂを長く形成する（図８（ａ）及び図８（ｂ）で二点鎖線で示す）ようにしても良い。そして、この場合、この識別体１７を軟質の樹脂で形成して柔らかな触覚を付与するようにしても良い。
【００３７】
図８（ｃ）、図８（ｄ）に示すのは断面横向き略Ｔ字状の識別体１７であり、横向きの基部１７ａを握り部１２における前記取付け溝１６に嵌合する一方、表面が略直線状の縦片１７ｂ′を握り部１２の前面に当接させる。図８（ｅ）、図８（ｆ）に示すのは断面横向き略Ｔ字状の識別体１７であり、横向きの基部１７ａを握り部１２における前記取付け溝１６に嵌合する一方、表面が略円弧状で中央部に突条部１８が一体的に備えられた縦片１７ｂ″を握り部１２の前面に当接させる。また、前記取付け溝１６の奥部（底部）１６ａの直径が開放側（握り部１２の前面側）より大きく形成し、前記基部１７ａの先端１９も１６ａと略同じ直径の円形断面に形成すると、嵌合したとき抜け難くなる。
【００３８】
なお、前記図８の各実施形態において、少なくとも取付け溝１６の嵌合箇所等に接着剤を介して識別体１７を固定するようにしても良い。さらに、前記図８の各実施形態において、識別体１７の材質（触感）及び色彩のいずれか一方もしくは双方をカバー板１１もしくは握り部１２の材質（触感）や色彩のいずれか一方もしくは双方と異なるものを採用する。
【００３９】
このような構成により、握り部１２及びその近傍の識別体１７を触る使用者は触感にてキャビネット１の区別がつき、健常者ばかりでなく色弱者にも利用され易くなる。
【００４０】
なお、図２に示すように、上扉４における表面板２１の下部中央には錠前３６が設けられている一方、下扉５におけるカバー板１１のうち握り部１２と反対側の面に一体成形した突出片３７には、錠前３６と相対向する位置に左右長手の係止穴が設けられている。錠前３６は、その略中央に位置する鍵穴を介した施錠操作により上下回動する回動杆を有する。上下両扉４，５を閉止した状態で施錠すると、回動杆は、カバー板１１における突出片３７の係止穴に係合してロックできる。
【００４１】
なお、図９に示すように、下扉５の上端片３８に形成された溝３９にゴム製等の干渉防止片４０を上向きに突設させすることにより、上下扉４、５の閉止時に上扉４の下片に当接させて、騒音の発生を防止できる。
【００４２】
図１０に示す他の実施形態では、左右一対の支持バー４１、４１の各々に、後向きに突出した複数の鉤状突起が設けられており、これら鉤状突起を、間仕切４２の枠体（図示せず）のうち上寄り部位に設けた係止穴（図示せず）に引っ掛け係合する。前記一対の支持バー４１、４１の上端の上向き係合片４１ａを収納本体２の後面に設けた係止孔に嵌め入れ、且つ各支持バー４１の下端の支持部４１ｂを介して収納本体２の下面にねじ止めすることにより、間仕切４２の表面にキャビネット１が架設されるものである。
【００４３】
図１１は把手装置の他の実施形態を示し、側面視コ字型の把手体４３における縦長の握り部４４の前面側に、図示しない嵌合溝を穿設し、この嵌合溝に対して縦長の識別体４５を外れ不能に嵌合固定したものである。この場合の識別体４５も、握り部４４の材質または色彩のうちいずれか一方もしくは双方と異なるように設定するものである。
【００４４】
このように、把手装置の握り部は、扉の長手方向の一部（略中央部）だけであっても良いし、カバー板１１とは別体に構成して、カバー板１１の前面上寄り部位に溶接または接着等で固定するようにしてもよい。また、触覚による識別性を高めるために、握り部の外側表面から突出する識別体の部分の表面粗さを、握り部の表面粗さと異なるようにする。例えば、多数の凹凸溝や凸部、シボ加工、ローレット模様等を識別体の外側の表面に施しても良い。
【００４５】
本発明の把手装置は、キャビネットの他の家具における扉や、室または廊下の開口部を仕切るドア（扉）にも適用できることはいうまでもない。
【００４６】
【発明の効果】
以上に詳述したように、請求項１の発明では、収納家具、室、廊下等の開口部に開閉可能に設けた扉に設ける把手装置であって、扉の前面又は裏面に一体的に形成されもしくはボルト等を介して固着した把手体の少なくとも握り部には、その外側表面に開口するように取付け溝を形成し、前記把手体または握り部の材質及び色彩のいずれか一方もしくは双方が異なる識別体を、前記取付け溝に嵌合もしくは固着したものであるから、扉の位置や用途（室内の使用態様）の別により、把手体または握り部の材質及び色彩のいずれか一方もしくは双方が異なる識別体を採用して判別しやすいようにできる。特に識別体の材質特に触感が異なるようにしておけば、握り部及びその近傍の識別体を触る使用者は触感の相違にてキャビネットの区別がつき、健常者ばかりでなく色弱者にも利用され易くなる。
【００４７】
また、識別体を把手体もしくは握り部に形成された取付け溝に対して差替え嵌合するだけで、材質及び色彩のいずれか一方もしくは双方の組み合わせが多様になるので、多様の把手装置の製造コストを大幅に低減できるという効果も奏する。
【００４８】
請求項２の発明は、請求項１に記載した把手装置において、前記把手体の少なくとも握り部の長手方向に沿ってその外側表面に前記取付け溝を形成し、該取付け溝に沿って前記識別体を装着したものであるから、請求項１に記載した発明による効果に加えて、識別体の長さを長くでき、識別効果を向上させることができる。
【００４９】
請求項３の発明は、請求項１または２に記載した把手装置において、前記識別体の断面形状のうち前記把手体における握り部の外側表面に突出する部分を、当該握り部の外側表面の断面と異なるように形成したものであるから、請求項１または２に記載した発明による効果に加えて、握り部の外側表面から突出する識別体の部分の断面形状を、当該握り部の外側表面の断面と異ならせることで触覚による識別性がさらに向上する。
【図面の簡単な説明】
【図１】第１実施形態におけるキャビネットの取付け態様を示す概略斜視図
【図２】（ａ）はキャビネットの閉止状態、（ｂ）は開放状態の斜視図である。
【図３】開き状態の上下両扉の要部拡大側断面図である。
【図４】閉止状態の上下両扉の側面図である。
【図５】上扉の一部分離斜視図である。
【図６】下扉の一部分離斜視図である。
【図７】第２リンク杆を取り付けた状態の下扉の左側面図、（ｂ）は図７（ａ）のＶＩＩｂ−ＶＩＩｂ線矢視図である。
【図８】（ａ）〜（ｆ）は識別体の他の実施形態の側断面図である。
【図９】下扉と上扉との締め切り部の他の実施形態の要部拡大側断面図である。
【図１０】キャビネットを間仕切に取り付けする態様の斜視図である。
【図１１】把手装置の他の実施形態を示す斜視図である。
【符号の説明】
１  キャビネット
２  収納本体
４  上扉
５  下扉
６  連動手段
１１  カバー板
１１ａ  前向きバー
１２    握り部
１５    手掛け部
１６    取り付け溝
１７    識別体
【図１】
2004346687.tif 000003
【図２】
2004346687.tif 000004
【図３】
2004346687.tif 000005
【図４】
2004346687.tif 000006
【図５】
2004346687.tif 000007
【図６】
2004346687.tif 000008
【図７】
2004346687.tif 000009
【図８】
2004346687.tif 000010
【図９】
2004346687.tif 000011
【図１０】
2004346687.tif 000012
【図１１】
2004346687.tif 000013